(57)【要約】      （修正有）【課題】仰臥時には第３、第４腰椎の前弯を補佐して背骨の敷布団方向への落ち込みを補完し前弯型の背骨を得るようにし、側臥時には第３、第４腰椎の落ち込みを補完しフラットな背骨を得るような臥位腰椎矯正用健康帯を提供する。【解決手段】長さ４５０ｍｍから８００ｍｍ、幅６０ｍｍから７０ｍｍ、厚さ２５ｍｍから４０ｍｍの弾性部材と、この弾性部材を被覆する被覆カバーと、この被覆カバーの長手方向の両サイドから延出した結び紐からなることを特徴とした臥位腰椎矯正用健康帯である。【選択図】図６
0003146922.tif 000002
【実用新案登録請求の範囲】
【請求項１】
長さ４５０ｍｍから８００ｍｍ、幅６０ｍｍから７０ｍｍ、厚さ２５ｍｍから４０ｍｍの弾性部材と、この弾性部材を被覆する被覆カバーと、この被覆カバーの長手方向の両サイドから延出した結び紐からなることを特徴とした臥位腰椎矯正用健康帯。
【考案の詳細な説明】
【技術分野】
【０００１】
この考案は、仰臥時の腰椎の前弯失調、側臥時の腰椎の側弯を矯正可能とした臥位腰椎矯正用健康帯に関するものである。
【背景技術】
【０００２】
一般に、就寝状態では、図１に示す仰臥時の睡眠状態図、図２の側臥時の就寝状態図の如く、布団、ベッド、マットレスなどの敷布団１上に寝て就寝時の体圧を分散するが、図１の仰臥時では、図３に示す如く脊椎２はフラットになり理想的な生理的弯曲（前弯）の脊椎は望めず、また、図２の側臥時では、図４に示す如く脊椎２が敷布団１方向に落ち込み背骨が曲がる（側弯）などの原因となった。
また従来、実開平７−３２８０４９に示す如く、長さ方向に伸縮弾力性を有する帯主体の中央部に小円柱形状の弾性パッド部材を取り付け、この弾性パッド部材を脊椎の痛みを感じる側部に椎骨に沿って縦方向に当接させ、弾性パッド部材を伸縮帳させながら腰部に巻きつけてその弾力性を弾性パッド部材に集中的に作用させ、その作用力により椎骨の捩れを矯正、治療したりする方法があった。
【特許文献１】実開平７−３２８０４９号
【考案の開示】
【考案が解決しようとする課題】
【０００３】
しかし、布団、ベッド、マットレスなどの敷布団１などの弾性寝具は、耐圧の分散ができても、図３に示す如く椎骨、特に腰椎の生理的弯曲の最も重要な要素である腰椎の前弯を構成する第３、第４腰椎に亘る弯曲が支持できず理想的な生理的弯曲（前弯）の脊椎は望めず、これが腰痛の原因となった。
【０００４】
また、実開平７−３２８０４９に示す如く、長さ方向に伸縮弾力性を有する帯主体の中央部に小円柱形状の弾性パッド部材を取り付け、この弾性パッド部材を脊椎の痛みを感じる側部に椎骨に沿って縦方向に当接させる方法は、昼間の使用に供し得ても、就寝時には背骨に当り背中が痛くなり、不向きであつた。
【０００５】
本考案は、仰臥時には第３、第４腰椎の前弯を補佐して背骨の敷布団方向への落ち込みを補完し前弯型の背骨を得るようにし、側臥時には第３、第４腰椎の落ち込みを補完しフラットな背骨を得るような腰椎矯正用健康帯を提供するものである。
【課題を解決するための手段】
【０００６】
本考案の上記目的を達成するために本考案の請求項１記載の臥位腰椎矯正用健康帯は、長さ４５０ｍｍから８００ｍｍ、幅６０ｍｍから７０ｍｍ、厚さ２５ｍｍから４０ｍｍの弾性部材と、この弾性部材を被覆する被覆カバーと、この被覆カバーの長手方向の両サイドから延出した結び紐からなることを特徴とした臥位腰椎防止用健康帯にある。
【考案の効果】
【０００７】
請求項１記載の臥位腰椎矯正用健康帯を、生体の腰骨よりやや上部の胴部の背中に当て、帯を締めるように卷回し前で締めれば、仰臥時にはスポンジの厚みで腰椎の前弯を補佐し、側臥時には腰椎の側弯を阻止して筋力を補助し、腰椎の弯曲を構成する第３、第４腰椎に亘る最適の弯曲を得るようにできる。
【考案を実施するための最良の形態】
【０００８】
以下、図面に従って本考案の実施例を説明する。
【０００９】
図５は本考案の臥位腰椎矯正用健康帯に用いられる弾性体３の一実施例である。
弾性体３は、方形のスポンジからなり、サイズは、ウエストの太さにもよるが、通常は長さ４９０ｍｍ、幅６５ｍｍ、厚さ３０ｍｍの細長のフレキシブルな厚み体からなる。
サイズは体格により長さ４５０ｍｍから８００ｍｍ、幅６０ｍｍから７０ｍｍ、厚さ２５ｍｍから４０ｍｍでもよい。特にウエストが太い人の場合は、長さ７００ｍｍ以上、幅６５ｍｍ、厚さ３０ｍｍのものを選定できる。幅６５ｍｍは腰椎第３番、第４番を支え生理的弯曲を維持し各種靭帯や脊柱筋群の負荷を軽減するのに適している。また、長さ４９０ｍｍは、特大の体型を除き仰向け（仰臥）の時は腰椎の前弯を保持するだけではなく横向き（側臥）の時も、腰椎の側弯を阻止する作用を兼ねる。また、弾性体３は１０ｍｍ沈降するときの値が５０ｇ〜９０ｇ／ｃｍ２であることが望ましい。結び紐は左右夫々５２０ｍｍのものを用いた。
【００１０】
図６は本考案の臥位腰椎矯正用健康帯４の斜視図で、前記弾性体３を袋部５で外部から被覆したものである。袋部５の長手方向の両端は長く延ばし折り込んで耳６とし，この耳６を袋状帯７の中に挟み込んだ状態で一体に縫い８付けてある。尚、弾性体３は、上記実施例ではスポンジを用いたが、ウレタンフォーム，軟質ゴム又は小型スプリング等の集合体でもよい。
【００１１】
図７は本考案の臥位腰椎矯正用健康帯４を腰に巻いた状態の仰臥位図である。本考案の臥位腰椎矯正用健康帯４を腰に巻いた状態では弾性体３（図示せず）の部分が、図８に示す如く第３、第４腰椎に亘る生理的適正な弯曲を作るように上方に押し上げる補助の役目をしている。
【００１２】
図９は本考案の臥位腰椎矯正用健康帯４を腰に巻いた状態の側臥位図である。本考案の臥位腰椎矯正用健康帯４を腰に巻いた状態では、図１０に示す如く弾性体４が第３、第４腰椎に亘る側弯を上方に押し上げ、腰骨第２、第３、第４が直線になっている。
【００１３】
図１１は本考案の臥位腰椎矯正用健康帯４を用いる際の開指角測定用分度目盛が印刷されたプレートの図で、分度目盛り９は左手用の分度目盛り、分度目盛り１０は右手用の分度目盛りである。分度目盛り９は表面左側の０度（○印）の突出部１５を起点として小指を合わせ、小指と薬指の間の前記突出部１５に指を挟み親指までの開度を測る。また、右手は右側の分度目盛り１０の１８０度から０度（右端の０度（○印）を起点とする）の分度目盛り１２が印字されており、分度目盛り１０の表面右側の０度の突出部１６を起点として小指を合わせ、小指と薬指の間の突出部１６（○印）に指を挟み親指の開度を図る。
【００１４】
手指の開く角度は、良い姿勢か、悪い姿勢かで開度が大きく異なり、良い姿勢の場合は親指の開度は大きくなり、また悪い姿勢の場合は親指の開度は小さなくなる。悪い姿勢の時は体に現れる筋、神経系の多様な歪により首からの頸髄神経支配を受け指の筋力低下に繋がるものと思料される。
測定する場合は、掌を小指を基準指として０度に合わせ突出部１５（○印）又は１６
（○印）を小指と薬指で挟み、目を閉じて親指を先頭にした全指を軽く開き止まったところで目を開いて親指の度数を読む。これにより体に現れる筋、神経系の多様な歪が首からの頸髄神経支配を受け、手指の筋の機能が低下しているか否かが分かる。
本考案の臥位腰椎矯正用健康帯４を用いるときは、この開指角測定目盛が印刷されたプレートで腰椎から頸椎の矯正具合を確認できる。
【図面の簡単な説明】
【００１５】
【図１】仰臥状態図。
【図２】側臥状態図。
【図３】椎骨、特に腰椎の生理的弯曲の最も重要な要素である腰椎の前弯を示す説明図。
【図４】脊椎が敷布団方向に落ち込み背骨が曲がる側弯状態説明図。
【図５】本考案に用いられる臥位腰椎矯正用健康帯の弾性体のスポンジを示す一実施例図。
【図６】本考案の臥位腰椎矯正用健康帯の一部省略斜視図。
【図７】本考案の臥位腰椎矯正用健康帯を腰に巻いた状態の仰臥位図。
【図８】図７の第３、第４腰椎に亘る弯曲を上方に押し上げ腰骨が前弯型の状態を示す説明図。
【図９】本考案の臥位腰椎矯正用健康帯４を腰に巻いた状態の側臥位図。
【図１０】図９の腰椎下部第３、第４を上方に押し上げ腰骨を支える状態を示す側臥位図の拡大図。
【図１１】本考案を用いる際に分度目盛りで指の開度を測る一般説明図面。
【符号の説明】
【００１６】
１  敷布団
２  脊椎
３  弾性体
４  臥位腰椎矯正用健康帯
５  袋部
６  耳部
７  袋状帯
８  袋
９，１０  分度目盛り
１１，１２  分度目盛が印刷されたプレート
１３，１４  手
１５，１６  突出部
【図１】
0003146922.tif 000003
【図２】
0003146922.tif 000004
【図３】
0003146922.tif 000005
【図４】
0003146922.tif 000006
【図５】
0003146922.tif 000007
【図６】
0003146922.tif 000008
【図７】
0003146922.tif 000009
【図８】
0003146922.tif 000010
【図９】
0003146922.tif 000011
【図１０】
0003146922.tif 000012
【図１１】
0003146922.tif 000013